(57)【特許請求の範囲】
【請求項１】
コネクタ支持穴を有するマイクロホンスタンドと、コネクタケースが前記コネクタ支持穴に挿入されることで前記マイクロホンスタンドに支持されるマイクロホン本体と、前記コネクタ支持穴内に配置されたバネ状接点と、前記コネクタ支持穴に配置され前記バネ状接点と前記コネクタケースに接触する弾力性のある導電布と、を備えたマイクロホン装置。
【請求項２】
前記導電布は、環状に形成された前記コネクタ支持穴の下底部に沿ってリング状に配置されていることを特徴とする請求項１に記載のマイクロホン装置。
【請求項３】
リング状に配置された前記導電布の上面全体が、前記コネクタケースの環状に形成された開口部に当接して接触することを特徴とする請求項２に記載のマイクロホン装置。
【請求項４】
前記コネクタケースから、前記導電布、前記バネ状接点を経由する電気的な導通路を構成していることを特徴とする請求項１ないし請求項３のいずれか１項に記載のマイクロホン装置。
【請求項５】
前記コネクタケースには、前記コネクタ支持穴に設けられたラッチ爪に係合可能なラッチ穴が形成され、コネクタ支持穴内の前記導電布は、前記ラッチ爪よりも下底部に配置されていることを特徴とする請求項１ないし請求項４のいずれか１項に記載のマイクロホン装置。
【請求項６】
前記マイクロホン本体には、マイクロホンユニットを収容したマイクロホンケースと、前記コネクタケースとを連結するマイクポール部がさらに備えられた、請求項１ないし請求項５のいずれか１項に記載のマイクロホン装置。
【請求項７】
前記マイクポール部には屈曲可能なフレキシブルパイプが備えられていることを特徴とする請求項６に記載のマイクロホン装置。
【請求項８】
コネクタケースを備えたマイクロホン本体が挿入され、前記マイクロホン本体を支持するコネクタ支持穴を有するマイクロホンスタンドであって、前記コネクタ支持穴内に配置されたバネ状接点と、前記コネクタ支持穴に配置され前記バネ状接点と前記コネクタケースに接触する弾力性のある導電布と、を備えたことを特徴とするマイクロホンスタンド。
【請求項９】
前記導電布は前記コネクタケースと前記バネ状接点の間を電気的に接続して導通路を構成すること、を特徴とする請求項８に記載のマイクロホンスタンド。
【請求項１０】
前記コネクタ支持穴にはさらにラッチ爪が設けられ、コネクタ支持穴内の前記導電布は前記ラッチ爪よりも下底部に配置されていることを特徴とする請求項８または請求項９のいずれか１項に記載のマイクロホンスタンド。
【発明の詳細な説明】
【技術分野】
【０００１】
この発明は、マイクロホン装置およびマイクロホンスタンドに関する。
【背景技術】
【０００２】
例えば会議場の発言台や会議出席者の卓上にそれぞれ設置される会議用マイクロホンとして、グースネック型マイクロホンが提供されている。
このグースネック型マイクロホンは、角度や高さ調節が容易になし得るフレキシブルパイプを備えた首の長いマイクポール部を備えている。このマイクポール部の先端部には、マイクロホンユニットを収容したマイクロホンケースが取り付けられている。
【０００３】
また、グースネック型マイクロホンには、マイクポール部の基端部であるコネクタケースを外郭として、丸形ラッチロックコネクタが備えられている。この丸形ラッチロックコネクタ（以下、出力コネクタとも言う。）は、ＪＥＩＴＡ〔社団法人日本電子機械工業会〕ＲＣ−５２３６として規定されている。
そして、前記出力コネクタを例えば机上に載置したマイクロホンスタンドのレセプタクルに接続することで、前記グースネック型マイクロホンはマイクロホンスタンドを介して机上に樹立される。
【０００４】
また、グースネック型マイクロホンにおけるマイクロホンユニットについても、小型で軽量なコンデンサマイクロホンが用いられている。このコンデンサマイクロホンのインピーダンス変換器を動作させるために、外部から電源を得ることができるファントム給電方式が採用されており、このファントム電源は前記マイクロホンスタンドのレセプタクルおよび前記出力コネクタを介して、マイクロホンユニットに供給される。
すなわち、前記出力コネクタおよびレセプタクルは、マイクロホンユニットからの音声信号の伝送と共に、ファントム電源の供給路として用いられている。
【０００５】
図１は、前記したグースネック型マイクロホンの一例について外観構成を示したものである。このグースネック型マイクロホン（以下、マイクロホン本体とも言う。）１は、内部に図示せぬマイクロホンユニット等を備えたマイクロホンケース２と、第１フレキシブルパイプ３と、中継パイプ４と、ジョイント部材５と、第２フレキシブルパイプ６と、コネクタケース７とが順に接続されて構成されている。
すなわち、前記マイクロホン本体１は、マイクロホンケース２を上端部とし、コネクタケース７を基端部として、その中間部がフレキシブルパイプ等を含むマイクポール部を形成している。
【０００６】
そして、グースネック型マイクロホンを構成する前記した各部材には、金属製の導電素材が用いられ、特にマイクロホンユニット等を収容したマイクロホンケース２内は、前記した金属製の導電素材を介して電磁シールドがとられるように構成されている。
また、前記したマイクロホンケース２内のマイクロホンユニットと、コネクタケース７内に収容された前記出力コネクタとの間は、マイクロホン本体１を構成する前記した各部材内に挿通されたマイクロホンケーブル（図示せず）等を介して接続されている。
【０００７】
図２は、図１に示したマイクロホン本体１を、マイクロホンスタンド１１に装着した状態を示す。マイクロホンスタンド１１には、偏平状のベース筐体１２と、ベース筐体１２の上面に取り付けられラッチ解除レバー１４を備えたレセプタクル１３と、ベース筐体１２の上面に向かって配置されたスピーカ１５と、ベース筐体１２の背面に向かって取り付けられた第２レセプタクル１６等が備えられている。
なお、前記レセプタクル１３と第２レセプタクル１６との間は、ベース筐体１２内で図示しないリード線で接続されている。また第２レセプタクル１６には、プラグ１７が差し込まれる。このプラグ１７に接続されたマイクコードを介して、マイクロホン本体１はファントム電源を備えたミキサー等のマイクアンプユニットに接続される。
【０００８】
そして、マイクロホン本体１側のコネクタケース７をベース筐体１２に取り付けられたレセプタクル１３に装着することで、マイクロホン本体１は、マイクロホンスタンド１１によって樹立される。同時にコネクタケース７内の図示しない出力コネクタの各端子ピンは、レセプタクル１３に配置された後述する各接続端子に導通される。
【０００９】
図５Ａは、前記したマイクロホン本体１のコネクタケース７を、マイクロホンスタンド１１側のレセプタクル１３に装着した状態の従来例を示している。なお図５Ａにおいては、コネクタケース７内の出力コネクタの図示は省略されている。
また図５Ｂは従来のレセプタクル１３の第１の構成例を示し、図５Ｃは同じくレセプタクル１３の第２の構成例を示している。
【００１０】
図５Ｂおよび図５Ｃに示すレセプタクル１３には、上面中央部にピン受け部２１が設けられ、その周囲に円環状に凹んだコネクタ支持穴２２が形成されている。コネクタ支持穴２２内の前記ピン受け部２１の側面には、前記マイクロホン１側のコネクタケース７に形成されたラッチ穴７ａ（図５Ａ参照）と係合が可能なラッチ爪２３が突出して配置されている。このラッチ爪２３は、前記したラッチ解除レバー１４が押し込まれることで、ピン受け部２１内に引き戻される。これによりコネクタケース７がレセプタクル１３から軸方向に取り外し可能な状態になる。
【００１１】
前記レセプタクル１３内には下底面に突出するように、接続端子２４〜２６が配置されている。これらは接地用の１番端子２４、信号のホット側２番端子２５、信号のコールド側３番端子２６になる。なお前記接続端子２４〜２６には、マイクロホン本体１側の出力コネクタに配置された後述する各コネクタピンが挿入接続される。
【００１２】
そして、図５Ｂに示すレセプタクル１３の第１の形態においては、コネクタケース７に接触導通するバネ状接点２７が、コネクタ支持穴２２内に配置されている。図５Ｂに示す例においては、前記バネ状接点２７は接地用の１番端子２４に接続されている。
すなわち、前記コネクタケース７が装着された場合に、前記バネ状接点２７を介してマイクロホン本体１側の図１に示した各部材は、アース接続される。
【００１３】
一方、図５Ｃに示すレセプタクル１３の第２の形態は、マイクロホン本体１側に例えばＬＥＤが搭載され、当該マイクロホン本体からの音声信号が取り込み可能なオン状態の時に、前記ＬＥＤを点灯させるように構成したマイクロホン本体を接続するのに好適に用いられる。
このために、図５Ｃに示したレセプタクル１３は、図５Ｂに示した例と同様のバネ状接点２７を用いているが、このバネ状接点２７は前記した接続端子の１〜３番端子２４〜２６以外の図示せぬフレーム端子に接続される。
【００１４】
この場合においては、前記ＬＥＤの点灯および消灯制御に、出力コネクタの１番ピンが用いられ、マイクロホンユニットからの音声信号の伝送と前記したファントム電源の供給に、出力コネクタの２番ピンと３番ピン、および前記フレーム端子を用いる手段が採用される。
したがって、前記した接続構成を採用した場合には、図５Ｃに示すレセプタクル１３のバネ状接点２７は、マイクロホン本体１側とミキサー等のマイクアンプユニットとの間における唯一のアース（接地）ラインの接続経路となる。
【００１５】
ところで、図５Ｂおよび図５Ｃに示したレセプタクル１３においては、コネクタ支持穴２２の内周面と、マイクロホン本体１側のコネクタケース７の内周面との間は、コネクタケース７の脱着操作が容易となるように、若干の隙間が形成されている。そして、グースネック型マイクロホン（マイクロホン本体）１とマイクロホンスタンド１１とは、図５Ａに示したようにラッチ穴７ａとラッチ爪２３との係合により取り付けられている。
したがって、図５Ａに示したコネクタ支持穴２２と、コネクタケース７との間の前記した隙間は、マイクロホンスタンド１１に対してマイクロホン本体１のガタ付きを引き起こす。
【００１６】
このガタ付きは、マイクロホンスタンド１１を載置した机が揺れた場合、マイクロホンのマイクポール部を介してマイクロホンケース２に伝搬し、振動雑音を発生させる。また図２に示すように、マイクロホンスタンド１１にスピーカ１５が搭載されている会議システムによると、スピーカ１５から音波が放射されることによる振動、特に低い周波数の振動が伝搬する。この振動は前記ガタ付きを伴うマイクロホン本体１を揺動させる要因になり、振動雑音を発生させる。
さらに図に示されたグースネック型マイクロホン１の集音軸は話者に向けられていることから、前記したガタ付きに起因する振動は、マイクロホンの軸に直交する方向に、すなわち図２に仮想線で描いたように揺動する度合いが大きい。
【００１７】
一方、前記したマイクロホンの振動による雑音の発生の問題に加えて、マイクロホンスタンド１１に対するマイクロホン本体１のガタ付きは、図５Ｃに示したバネ状接点２７を備えたレセプタクル１３における電気的な接続にも影響を及ぼす。
すなわち、前記ガタ付きに起因して、コネクタケース７に対する前記バネ状接点２７の導通に不良を起こした場合、マイクロホン本体１側とミキサー等のマイクアンプユニットとの間を結ぶ唯一のアース（接地）ラインが途切れる。したがって、従来のコネクタケースとレセプタクルの接続手段は、接地が不安定になり、大きな雑音を発生させるという問題を招く。
【００１８】
これまでにも、マイクロホンスタンドに対するグースネック型マイクロホンのガタ付きを防止することで、雑音の発生を抑制する提案がなされており、これは例えば特許文献１に開示されている。
【先行技術文献】
【特許文献】
【００１９】
【特許文献１】特許第４６８６４１０号公報
【発明の概要】
【発明が解決しようとする課題】
【００２０】
ところで、特許文献１に開示されたマイクロホン接続は、マイクロホンスタンドのベース筐体に対して、ゴム素材によるガスケットを介在させて、レセプタクルをねじ留めするものである。
したがって、たとえ前記したガスケットを用いてレセプタクルがねじ留めされても、すでに図５Ａに基づいて説明したように、コネクタ支持穴２２とコネクタケース７との間に生ずる前記した隙間によるマイクロホン本体１のガタ付きは解消されない。
【００２１】
この発明は、以上のような従来技術の問題点に着目してなされたものであり、レセプタクル側のコネクタ支持穴と、マイクロホン側のコネクタケースとの間に生ずる前記した隙間によるガタ付きを効果的に軽減し、マイクロホンの揺動動作による前記した雑音の発生等を抑制することができるマイクロホン装置およびマイクロホンスタンドを提供することを課題とするものである。
【課題を解決するための手段】
【００２２】
前記した課題を解決するためになされたこの発明に係るマイクロホン装置は、コネクタ支持穴を有するマイクロホンスタンドと、コネクタケースが前記コネクタ支持穴に挿入されることで前記マイクロホンスタンドに支持されるマイクロホン本体とが備えられ、前記マイクロホン本体とマイクロホンスタンドとの間に介在されるマイクロホン装置であって、前記コネクタケースを前記コネクタ支持穴に挿入した状態で、マイクロホン本体とマイクロホンスタンドとの間を電気的に接続する接続ピンおよび接続端子が、前記マイクロホン本体と前記マイクロホンスタンドに備えられ、かつコネクタケースをコネクタ支持穴に挿入した状態で、前記コネクタケースに接触する弾力性のある導電布が、前記コネクタ支持穴内に配置されていることを特徴とする。
【００２３】
この場合、前記導電布は、好ましくは環状に形成されたコネクタ支持穴の下底部に沿ってリング状に配置される。マイクロホン装置は、望ましくは、リング状に配置された前記導電布の上面全体が前記コネクタケースの環状に形成された開口部に当接して接触するように構成される。
【００２４】
また好ましい形態においては、前記コネクタ支持穴内には、前記導電布の一部に接触するバネ状接点が配置され、前記コネクタケースから、前記導電布、前記バネ状接点を経由する電気的な導通路が構成される。
加えて、前記コネクタケースには、前記コネクタ支持穴に設けられたラッチ爪に係合可能なラッチ穴が形成され、コネクタ支持穴内の前記導電布は、前記ラッチ爪よりも下底部に配置された構成が採用される。
【００２５】
またこの発明によると、マイクロホン本体には、マイクロホンユニットを収容したマイクロホンケースと、前記コネクタケースとを連結するマイクポール部が備えられる。そして、前記マイクロホン本体と前記マイクロホンスタンドとの間に、マイクロホン接続装置が介在された構成が採用される。
このような構成は、特にマイクポール部に屈曲可能なフレキシブルパイプを備えたマイクロホン（グースネック型マイクロホン）に対して好適に採用できる。
【発明の効果】
【００２６】
この発明に係る前記したマイクロホン装置およびマイクロホンスタンドによると、マイクロホンスタンドのコネクタ支持穴に、マイクロホン本体側のコネクタケースを差し込むことで、マイクロホン本体はマイクロホンスタンドに対して着脱可能に支持される。この場合、前記コネクタ支持穴内には、コネクタケースに接触する弾力性のある導電布が配置されており、この導電布はコネクタケースに当接して前記したガタ付きを抑え、マイクロホン本体の揺動を効果的に抑制する。
【００２７】
また、前記コネクタ支持穴内には、前記導電布の一部に接触するバネ状接点を配置することで、コネクタケースは導電布を介してバネ状接点と導通する。したがって、コネクタケースが直接的にバネ状接点に接触しなくても、前記導電布を介して確実に電気的な接続を確保できる。
これにより、前記したマイクロホン本体側とミキサー等のマイクアンプユニットとの間のアース（接地）ラインが途切れることで発生する大きな雑音が解消され、信頼性が向上する。
【図面の簡単な説明】
【００２８】
【図１】この発明および従来のマイクロホン装置が採用し得るグースネック型マイクロホンの一例を示した外観図である。
【図２】図１に示すグースネック型マイクロホンをマイクロホンスタンドに取り付けた状態を示す一部断面図である。
【図３Ａ】この発明に係るマイクロホン装置の第１の形態について、未接続の状態を示した断面図である。
【図３Ｂ】同じく接続した状態を示した断面図である。
【図４Ａ】この発明に係るマイクロホン装置の第２の形態について、未接続の状態を示した断面図である。
【図４Ｂ】同じく接続した状態を示した断面図である。
【図５Ａ】従来のマイクロホン装置の作用を説明する断面図である。
【図５Ｂ】従来のマイクロホン装置を構成するレセプタクルの第１の例を示した断面図である。
【図５Ｃ】同じくレセプタクルの第２の例を示した断面図である。
【発明を実施するための形態】
【００２９】
この発明に係るマイクロホン装置およびマイクロホンスタンドについて、図に示す実施の形態に基づいて説明する。
図１は従来のグースネック型マイクロホンの一例を示すものであると共に、この発明が利用し得るグースネック型マイクロホン（マイクロホン本体）としての構成を示すものである。また同様に、図２は従来のマイクロホンスタンドの一例を示すものであると共に、この発明が利用し得るマイクロホンスタンドとしての構成を示すものである。
図１および図２に示す構成については、すでに説明したので重複する説明は省略する。
【００３０】
図３Ａおよび図３Ｂは、図１および図２に示すマイクロホン本体１とマイクロホンスタンド１１との間に介在されるこの発明に係るマイクロホン装置の第１の形態を示したものである。
そのうち図３Ａは、マイクロホン本体１のコネクタケース７を、マイクロホンスタンド１１側のレセプタクル１３に対向させた状態を示している。出力コネクタ３１はコネクタケース７を外郭として構成されている。
【００３１】
前記出力コネクタ３１には、コネクタケース７内に嵌合される絶縁樹脂によって成形されたコネクタ基台３２が備えられている。このコネクタ基台３２には３本のコネクタピン３３〜３５がそれぞれコネクタケース７内において、ケース７の軸方向に沿って取り付けられている。前記３本のコネクタピン３３〜３５は、接地用の１番ピン、信号のホット側２番ピン、信号のコールド側３番ピンになる。
【００３２】
また、図２に示すベース筐体１２の上面に取り付けられたレセプタクル１３の上面中央部に、ピン受け部２１が設けられている。そして、ピン受け部２１の周囲に円環状に凹んだコネクタ支持穴２２が形成されている。
このコネクタ支持穴２２内の前記ピン受け部２１の側面には、前記マイクロホン本体１側のコネクタケース７の内周面に形成されたラッチ穴７ａと係合が可能なラッチ爪２３が突出して配置されている。このラッチ爪２３は、レセプタクル１３が備えるラッチ解除レバー１４が押し込まれることで、ピン受け部２１内に引き戻される。
【００３３】
前記した円環状に凹んだコネクタ支持穴２２の下底部には、この下底部に沿って弾力性のある導電布３７がリング状に収容されている。この導電布３７の上面が前記ラッチ爪２３よりも、さらに下に位置するように、導電布３７は配置されている。
前記弾力性のある導電布３７としては、例えばステンレス鋼からなる導電性の細線が編まれて布状に形成されたもの、あるいは不織布状に形成されたものを切断して細長い帯状にしたものが用いられる。
【００３４】
かかる導電布３７として、例えば、太陽金網株式会社製の導電布“ＳＵＩ−７８−５０１０Ｔ”が使用できる。
そして、円環状に凹んだコネクタ支持穴２２の下底部に、前記導電布３７を配置するにあたり、前記コネクタ支持穴２２の底部に、もしくは導電布３７の下底面に接着剤を塗布して、導電布３７を装着することで、導電布３７の脱落が防止できる。
【００３５】
前記レセプタクル１３内には下底面に突出するようにして、接続端子２４〜２６が配置されている。これらの接続端子２４〜２６には、図３Ｂに示すように、コネクタケース７内に配置された出力コネクタ３１のコネクタピン３３〜３５が上部から挿入接続される。
したがって、この実施の形態においては、各接続端子２４〜２６は、接地用の１番端子、信号のホット側２番端子、信号のコールド側３番端子として機能することになる。
また、前記コネクタ支持穴２２内には、先端部が前記導電布３７の一部に接触するバネ状接点２７が配置されており、前記バネ状接点２７は接地用の１番端子２４に接続されている。
【００３６】
図３Ａに示した構成において、マイクロホン１側のコネクタケース７が、レセプタクル１３のコネクタ支持穴２２内に挿入されると、前記コネクタケース７の環状に形成された先端の開口部は、コネクタ支持穴２２内にリング状に配置された前記導電布３７の上面全体に当接する。この状態でコネクタケース７がさらに押し込まれることで、導電布３７はコネクタケース７の開口部で圧縮される。コネクタケース７に形成されたラッチ穴７ａにはラッチ爪２３が入り込む。
これにより図３Ｂに示すように、コネクタケース７はレセプタクル１３に係止されてロックされ、マイクロホンスタンド１１に対して、マイクロホン本体１が取り付けられる。
【００３７】
このとき、コネクタケース７の内側面に前記したバネ状接点２７が接触すると共に、コネクタケース７から、前記導電布３７、前記バネ状接点２７を経由して接地用の１番端子２４に至る電気的な導通路も形成される。したがって、マイクロホン本体１側の図１に示した各部材は、アース接続される。
なお、図３Ｂに示した状態において、ラッチ解除レバー１４が押し込まれることで、ラッチ爪２３はピン受け部２１内に引き戻される。これにより図３Ａに示すようにコネクタケース７は、レセプタクル１３から軸方向に取り外し可能な状態になる。
【００３８】
図３Ａおよび図３Ｂに示したマイクロホン装置の第１の形態によると、レセプタクル１３に形成されたコネクタ支持穴２２内には、コネクタケース７に接触する弾力性のある導電布３７が配置されている。したがって、この導電布３７はコネクタ支持穴２２と、コネクタケース７との間の隙間によるガタ付きを効果的に抑制できる。
したがって、マイクロホンスタンド１１に取り付けられたマイクロホン本体１の揺動は抑制され、マイクロホンからの振動雑音の生成も抑制できる。また、前記したコネクタケース７から、前記導電布３７、前記バネ状接点２７を経由して接地用の１番端子２４に至る電気的な導通路も形成されるので、マイクロホン本体１のアース接続が確実に確保できる。
【００３９】
次に図４Ａおよび図４Ｂは、図１および図２に示すマイクロホン本体１とマイクロホンスタンド１１との間に介在されるこの発明に係るマイクロホン接続装置の第２の形態を示している。なおこの第２の形態における主要部は、先に説明した図４Ａおよび図４Ｂに示した第１の形態と同一であり、相当する部分に同一の符号を付けて、詳細な説明は省略する。
【００４０】
この第２の形態においては、コネクタ支持穴２２内に配置されたバネ状接点２７の一端部は、コネクタ支持穴２２の内底部の導電布３７の一部に接触すると共に、バネ状接点２７の他端部は、図５Ｃで示した例と同様に図示せぬフレーム端子に接続される。
すなわち第２の形態は、図５Ｃに基づいてすでに説明したとおり、マイクロホン本体１側に例えばＬＥＤが搭載されたマイクロホン本体の接続に用いられる。このような構成は、例えば、マイクロホン本体からの音声信号が取り込み可能なオン状態の時に前記ＬＥＤを点灯させることで、マイクロホンの状態を報知する。
【００４１】
このような構成では、前記ＬＥＤの点灯および消灯制御に、出力コネクタの１番ピン３３が用いられ、マイクロホンユニットからの音声信号の伝送と前記したファントム電源の供給に、出力コネクタの２番ピン３４と３番ピン３５、および前記フレーム端子を用いる手段が採用される。
【００４２】
図４Ａおよび図４Ｂに示す第２の形態におけるその他の構成は、図３Ａおよび図３Ｂに示した第１の形態と同一であり、したがってその作用効果は前記した第１の形態と同様である。加えて第２の形態によると、前記コネクタケース７がレセプタクル１３に装着された図４Ｂに示す状態において、前記コネクタケース７から、導電布３７、バネ状接点２７を経由して、図示せぬフレーム端子に至る導電経路が形成される。
【００４３】
したがってコネクタケース７とバネ状接点２７との間で、たとえ接触不良を起こしても、前記導電布３７を経由して電気的な接続が確実に保たれる。
これによると、前記したマイクロホン本体１側とミキサー等のマイクアンプユニットとの間のアース（接地）ラインが途切れることで、大きな雑音を発生させるという問題が解消できる。
【００４４】
なお、以上説明した実施の形態は、マイクロホンスタンドにグースネック型マイクロホンを着脱可能に装着する例である。この発明に係るマイクロホン装置はグースネック型マイクロホンに限らず、他のマイクロホン本体であってもよい。
【００４５】
また、図４Ａおよび図４Ｂに示す例については、ＬＥＤを搭載したマイクロホン本体の接続装置に、導電布を用いることによる作用を説明している。しかし、この発明はＬＥＤを搭載したマイクロホン本体の接続に限ることなく、他の形態のマイクロホン装置にも利用できるのは勿論のことである。
【符号の説明】
【００４６】
１      マイクロホン本体（グースネック型マイクロホン）
２      マイクロホンケース
３      第１フレキシブルパイプ
４      中継パイプ
５      ジョイント部材
６      第２フレキシブルパイプ
７      コネクタケース
７ａ    ラッチ穴
１１    マイクロホンスタンド
１２    ベース筐体
１３    レセプタクル
１４    ラッチ解除レバー
１５    スピーカ
１６    第２レセプタクル
１７    プラグ
２１    ピン受け部
２２    コネクタ支持穴
２３    ラッチ爪
２４    １番端子
２５    ２番端子
２６    ３番端子
２７    バネ状接点
３１    出力コネクタ
３２    コネクタ基台
３３    コネクタ１番ピン
３４    コネクタ２番ピン
３５    コネクタ２番ピン
３７    導電布
【図１】
0006478406.tif 000002
【図２】
0006478406.tif 000003
【図３Ａ】
0006478406.tif 000004
【図３Ｂ】
0006478406.tif 000005
【図４Ａ】
0006478406.tif 000006
【図４Ｂ】
0006478406.tif 000007
【図５Ａ】
0006478406.tif 000008
【図５Ｂ】
0006478406.tif 000009
【図５Ｃ】
0006478406.tif 000010